(57)【要約】【課題】デジタル放送およびアナログ放送を記録再生する機器において、最終段出力を２重に持たずに、乱れの無い映像・音声を出力させること。【解決手段】デジタルＴＶ処理器と記録処理器とをもつ機器において、出力処理は、デジタルＴＶ処理器側で、実施することにより、最終段出力を２重に持たないようにする。そして、デジタルＴＶ処理器と記録処理器のそれぞれの基準クロックを生成する系において、お互いの基準クロックを受け渡しする切り替えスイッチを有すると共に、切り替えスイッチの切り替え時の不安定成分を除去するＰＬＬを保持する。この切換スイッチを記録時，再生時，放送視聴時等のさまざまなアプリケーションにおいて、最適に制御することを特徴とする。【選択図】図１
2008060645.tif 000002
【特許請求の範囲】
【請求項１】
デジタル放送およびアナログ放送を受信し、記録する記録再生装置において、デジタル放送を受信し映像および音声を出力するデジタルと共にストリーム内のプログラムクロックレファレンスを抽出するデジタルＴＶ用信号処理器と、
アナログ放送を受信し記録媒体に記録すると共にアナログ放送の垂直同期信号を抽出することおよびデジタル放送のストリームをも記録する機能を有する記録処理器と、
前記デジタルＴＶ用信号処理器で抽出されたプログラムクロックレファレンスに同期したクロックを生成するための第１のローパスフィルタおよび第１の電圧制御発振器と、
前記記録処理器で抽出されたアナログ放送の垂直同期に同期したクロックを生成するための第２のローパスフィルタおよび第２の電圧制御発振器と、
前記第１の電圧制御発振器からの出力と前記第２の電圧制御発振器からの出力を選択し、出力する第１の選択器と、
前記第１の選択器からのクロックの位相変動を吸収して、前記デジタルＴＶ用信号処理器にクロックを供給する第１のＰＬＬと、
前記第１の電圧制御発振器からの出力と前記第２の電圧制御発振器からの出力を選択し、出力する第２選択器と、
前記第２の選択器からのクロックの位相変動を吸収して、前記記録処理器にクロックを供給する第２のＰＬＬと、
を具備することを特徴とする記録再生装置。
【請求項２】
デジタル放送およびアナログ放送を受信し、記録する記録再生装置において、デジタル放送を受信し映像および音声を出力するデジタルと共にストリーム内のプログラムクロックレファレンスを抽出するデジタルＴＶ用信号処理器と、
アナログ放送を受信し記録媒体に記録すると共にアナログ放送の垂直同期信号を抽出することおよびデジタル放送のストリームをも記録する機能を有する記録処理器と、
アナログ音声をデジタル信号に変換する音声用ＡＤＣと、
前記デジタルＴＶ用信号処理器からの音声用クロックと前記記録処理器からの音声用クロックとを選択し、前記音声用ＡＤＣに出力する切り替えスイッチと、
前記音声用ＡＤＣからのデジタル音声信号と前記記録処理器からのデジタル音声信号とを選択し、前記デジタルＴＶ用信号処理器に出力する切り替えスイッチと、
を具備することを特徴とする記録再生装置。
【請求項３】
デジタル放送およびアナログ放送を受信し、記録する記録再生装置において、デジタル放送を受信し映像および音声を出力するデジタルと共にストリーム内のプログラムクロックレファレンスを抽出するデジタルＴＶ用信号処理器と、
アナログ放送を受信し記録媒体に記録すると共にアナログ放送の垂直同期信号を抽出することおよびデジタル放送のストリームをも記録する機能を有する記録処理器と、
前記デジタルＴＶ用信号処理器で抽出されたプログラムクロックレファレンスに同期したクロックを生成するための第１のローパスフィルタおよび第１の電圧制御発振器と、
前記記録処理器で抽出されたアナログ放送の垂直同期に同期したクロックを生成するための第２のローパスフィルタおよび第２の電圧制御発振器と、
前記第１の電圧制御発振器からの出力と前記第２の電圧制御発振器からの出力を選択し、出力する第１の選択器と、
前記第１の選択器からのクロックの位相変動を吸収して、前記デジタルＴＶ用信号処理器にクロックを供給する第１のＰＬＬと、
前記第１の電圧制御発振器からの出力と前記第２の電圧制御発振器からの出力を選択し、出力する第２選択器と、
前記第２の選択器からのクロックの位相変動を吸収して、前記記録処理器にクロックを供給する第２のＰＬＬと、
アナログ音声をデジタル信号に変換する音声用ＡＤＣと、
前記デジタルＴＶ用信号処理器からの音声用クロックと前記記録処理器からの音声用クロックとを選択し、前記音声用ＡＤＣに出力する切り替えスイッチと、
前記音声用ＡＤＣからのデジタル音声信号と前記記録処理器からのデジタル音声信号とを選択し、前記デジタルＴＶ用信号処理器に出力する切り替えスイッチと、
前記デジタルＴＶ用信号処理器からのデジタル音声信号を前記記録処理器内部の音声処理サンプリング周波数に変換するサンプリング変換器と、
前記デジタルＴＶ用信号処理器内部の中央演算処理装置と前記記録処理器内部の中央演算処理装置とを通信する信号バスと、
を具備することを特徴とする記録再生装置。
【請求項４】
デジタル放送およびアナログ放送を受信し、記録する記録再生装置においてデジタル放送を受信し映像および音声を出力するデジタルと共にストリーム内のプログラムクロックレファレンスを抽出するデジタルＴＶ用信号処理器と、
アナログ放送を受信し記録媒体に記録すると共にアナログ放送の垂直同期信号を抽出することおよびデジタル放送のストリームをも記録する機能を有する記録処理器と、
前記デジタルＴＶ用信号処理器から出力される位相誤差信号を平滑化する第１のローパスフィルタと、
前記記録処理器から出力される位相誤差信号を平滑化する第２のローパスフィルタと、
前記第１のローパスフィルタからの出力と前記第２のローパスフィルタからの出力を選択するスイッチと、
前記スイッチからの信号によりクロックを発振する電圧制御発振器と、
を具備することを特徴とする記録再生装置。
【請求項５】
デジタル放送およびアナログ放送を受信し、記録する記録再生装置においてデジタル放送を受信し映像および音声を出力するデジタルと共にストリーム内のプログラムクロックレファレンスを抽出するデジタルＴＶ用信号処理器と、
アナログ放送を受信し記録媒体に記録すると共にアナログ放送の垂直同期信号を抽出することおよびデジタル放送のストリームをも記録する機能を有する記録処理器と、
前記デジタルＴＶ用信号処理器から出力される位相誤差信号と前記記録処理器から出力される位相誤差信号とを選択する切り替えスイッチと、
前記切り替えスイッチからの信号を平滑化するローパスフィルタと、
前記ローパスフィルタからの信号からクロックを生成する電圧制御発振器と、
を具備することを特徴とする記録再生装置。
【請求項６】
デジタル放送およびアナログ放送を受信し、記録する記録再生装置においてデジタル放送を受信し映像および音声を出力するデジタルと共にストリーム内のプログラムクロックレファレンスを抽出するデジタルＴＶ用信号処理器と、
アナログ放送を受信し記録媒体に記録すると共にアナログ放送の垂直同期信号を抽出することおよびデジタル放送のストリームをも記録する機能を有する記録処理器と、
前記記録処理器から出力されるデジタルベースバンド信号を受信し、前記デジタルベースバンド信号を前記デジタルＴＶ用信号処理器のクロックに乗せかえて、標準信号に変換すると共に、前記デジタルＴＶ用信号処理器のクロックと前記デジタルベースバンド信号からの位相誤差信号を生成するレート変換および位相誤差検出回路と、
前記デジタルＴＶ用信号処理器からの位相誤差信号と前記レート変換および位相誤差検出回路からの位相誤差信号を選択する切り替えスイッチと、
前記切り替えスイッチからの信号を平滑化する第１のローパスフィルタと、
前記第１のローパスフィルタからの信号からクロックを生成する第１の電圧制御発振器と、
前記記録処理器からの位相誤差信号を平滑化する第２のローパスフィルタと、
前記第１のローパスフィルタからの信号からクロックを生成する第２の電圧制御発振器と、
を具備することを特徴とする記録再生装置。
【請求項７】
デジタル放送およびアナログ放送を受信し、記録する記録再生装置においてデジタル放送を受信し映像および音声を出力するデジタルと共にストリーム内のプログラムクロックレファレンスを抽出するデジタルＴＶ用信号処理器と、
アナログ放送を受信し記録媒体に記録すると共にアナログ放送の垂直同期信号を抽出することおよびデジタル放送のストリームをも記録する機能を有する記録処理器と、
前記デジタルＴＶ用信号処理器からの位相誤差信号を平滑化する第１のローパスフィルタと、
前記記録処理器からの位相誤差信号を平滑化する第２のローパスフィルタと、
前記第１のローパスフィルタからの出力と前記第２のローパスフィルタからの出力を切り替える第１の切り替えスイッチと、
前記第１の切り替えスイッチからの信号よりクロックを生成する第１の電圧制御発振器と、
前記第１のローパスフィルタからの出力と前記第２のローパスフィルタからの出力を切り替える第２の切り替えスイッチと、
前記第２の切り替えスイッチからの信号よりクロックを生成する第２の電圧制御発振器と、
を具備することを特徴とする記録再生装置。
【請求項８】
デジタル放送およびアナログ放送を受信し、記録する記録再生装置においてデジタル放送を受信し映像および音声を出力するデジタルと共にストリーム内のプログラムクロックレファレンスを抽出するデジタルＴＶ用信号処理器と、
アナログ放送を受信し記録媒体に記録すると共にアナログ放送の垂直同期信号を抽出することおよびデジタル放送のストリームをも記録する機能を有する記録処理器と、
前記デジタルＴＶ用信号処理器からの位相誤差信号と前記記録処理器からの位相誤差信号とを選択する第１のスイッチと、
前記第１のスイッチからの信号を平滑化する第１のローパスフィルタと、
前記第１のローパスフィルタからの信号よりクロックを生成する第１の電圧制御発振器と、
前記デジタルＴＶ用信号処理器からの位相誤差信号と前記記録処理器からの位相誤差信号とを選択する第２のスイッチと、
前記第２のスイッチからの信号を平滑化する第２のローパスフィルタと、
前記第２のローパスフィルタからの信号よりクロックを生成する第２の電圧制御発振器と、
を具備することを特徴とする記録再生装置。
【発明の詳細な説明】
【技術分野】
【０００１】
本発明は、デジタル放送とアナログ放送を記録する機器に関するものである。
【背景技術】
【０００２】
デジタル放送を記録再生する従来の装置では、記録時には、入力されるストリームからプログラムクロックレファレンス（ＰＣＲ）を抽出し、そのＰＣＲに同期したクロックを基準クロックとして用いて記録処理を行っており、また、再生時には、より正確な固定クロックを基準クロックとして用いて再生処理を行っている（例えば、特許文献１参照）。
【０００３】
また、デジタル放送とアナログ放送を記録する装置では、デジタル放送ストリームを受信し、映像および音声を出力するデジタルＴＶ信号処理器と、アナログ放送を記録再生する記録処理器と、前記デジタルＴＶ信号処理器からの映像信号と前記記録再生処理器からの映像信号を選択して出力する映像信号切り替え処理器とを具備していた。
【０００４】
上記２つの従来例を組み合わせると、デジタル放送とアナログ放送を記録する装置では、映像切り替え処理器の基準クロックを再生時と記録時で切り替えることになる。
【特許文献１】特開２００６−１３４３９０号公報
【発明の開示】
【発明が解決しようとする課題】
【０００５】
しかしながら、従来例の映像信号切り替え処理器は、非常に高価なため、デジタル放送およびアナログ放送記録機器を普及価格帯にすることは、非常に困難であった。
【０００６】
本発明は、前記従来の課題を解決するもので、さまざまなアプリケーションで乱れの無い映像・音声を視聴することのできる安価な記録機器を提供することを目的とする。
【課題を解決するための手段】
【０００７】
本発明は、上記課題に鑑みデジタルＴＶ信号処理器の出力機能を利用する。そのためには、デジタルＴＶ信号処理の基準となるクロックを適切に切り替えることを特徴とする。
【０００８】
まず、第１の手段として、デジタルＴＶ用信号処理器で抽出されたプログラムクロックレファレンスに同期したクロックを生成するための第１のローパスフィルタおよび第１の電圧制御発振器と、前記記録処理器で抽出されたアナログ放送の垂直同期に同期したクロックを生成するための第２のローパスフィルタおよび第２の電圧制御発振器と、前記第１の電圧制御発振器からの出力と前記第２の電圧制御発振器からの出力を選択し、出力する第１の選択器と、前記第１の選択器からのクロックの位相変動を吸収して、前記デジタルＴＶ用信号処理器にクロックを供給する第１のＰＬＬと、前記第１の電圧制御発振器からの出力と前記第２の電圧制御発振器からの出力を選択し、出力する第２選択器と、前記第２の選択器からのクロックの位相変動を吸収して、前記記録処理器にクロックを供給する第２のＰＬＬとを具備することである。  
【０００９】
さらに、音声信号を正しく出力する手段として、前記デジタルＴＶ用信号処理器からの音声用クロックと前記記録処理器からの音声用クロックとを選択し、音声用ＡＤＣに出力する切り替えスイッチと、前記音声用ＡＤＣからのデジタル音声信号と前記記録処理器からのデジタル音声信号とを選択し、前記デジタルＴＶ用信号処理器に出力する切り替えスイッチと、を具備することである。
【００１０】
さらに、デジタルＴＶ用信号処理器と記録処理器との動作情報を通信することにより、よりきめ細かな処理を行うことを目的として、前記デジタルＴＶ用信号処理器内部の中央演算処理装置と前記記録処理器内部の中央演算処理装置とを通信する信号バスとを具備する。
【００１１】
また、デジタルＴＶ用信号処理器から出力される位相誤差信号を平滑化する第１のローパスフィルタと、記録処理器から出力される位相誤差信号を平滑化する第２のローパスフィルタと、前記第１のローパスフィルタからの出力と前記第２のローパスフィルタからの出力を選択するスイッチと、前記スイッチからの信号によりクロックを発生する電圧制御発振器とを具備することでも本課題を解決することができる。
【００１２】
また、デジタルＴＶ用信号処理器から出力される位相誤差信号と記録処理器から出力される位相誤差信号とを選択する切り替えスイッチと、前記切り替えスイッチからの信号を平滑化するローパスフィルタと、前記ローパスフィルタからの信号からクロックを生成する電圧制御発振器とを具備することでも本課題を解決することができる。
【００１３】
また、記録処理器から出力されるデジタルベースバンド信号を受信し、前記デジタルベースバンド信号をデジタルＴＶ用信号処理器のクロックに乗せかえて、標準信号に変換すると共に、前記デジタルＴＶ用信号処理器のクロックと前記デジタルベースバンド信号からの位相誤差信号を生成するレート変換および位相誤差検出回路と、前記デジタルＴＶ用信号処理器からの位相誤差信号と前記レート変換および位相誤差検出回路からの位相誤差信号を選択する切り替えスイッチと、前記切り替えスイッチからの信号を平滑化する第１のローパスフィルタと、前記第１のローパスフィルタからの信号からクロックを生成する第１の電圧制御発振器と、前記記録処理器からの位相誤差信号を平滑化する第２のローパスフィルタと、前記第１のローパスフィルタからの信号からクロックを生成する第２の電圧制御発振器とを具備することでも本課題を解決することができる。
【００１４】
また、デジタルＴＶ用信号処理器からの位相誤差信号を平滑化する第１のローパスフィルタと、記録処理器からの位相誤差信号を平滑化する第２のローパスフィルタと、前記第１のローパスフィルタからの出力と前記第２のローパスフィルタからの出力を切り替える第１の切り替えスイッチと、前記第１の切り替えスイッチからの信号よりクロックを生成する第１の電圧制御発振器と、前記第１のローパスフィルタからの出力と前記第２のローパスフィルタからの出力を切り替える第２の切り替えスイッチと、前記第２の切り替えスイッチからの信号よりクロックを生成する第２の電圧制御発振器とを具備することでも本課題を解決することができる。
【００１５】
また、デジタルＴＶ用信号処理器からの位相誤差信号と記録処理器からの位相誤差信号とを選択する第１のスイッチと、前記第１のスイッチからの信号を平滑化する第１のローパスフィルタと、前記第１のローパスフィルタからの信号よりクロックを生成する第１の電圧制御発振器と、前記デジタルＴＶ用信号処理器からの位相誤差信号と前記記録処理器からの位相誤差信号とを選択する第２のスイッチと、前記第２のスイッチからの信号を平滑化する第２のローパスフィルタと、前記第２のローパスフィルタからの信号よりクロックを生成する第２の電圧制御発振器とを具備することでも本課題を解決することができる。
【発明の効果】
【００１６】
本発明により、デジタル放送およびアナログ放送を記録する機器において、さまざまなアプリケーションで乱れの無い映像・音声を視聴することのできる安価な記録機器を提供することができる。
【発明を実施するための最良の形態】
【００１７】
（実施の形態１）
図１を用いて、本発明の実施の形態１の説明を行う。
【００１８】
図１は、デジタル放送およびアナログ放送を記録再生する機器の信号処理ブロック図である。図１において、１は第１の電圧制御発振器であり、２は第１のローパスフィルタであり、３は第１の切り替えスイッチであり、４は第１のＰＬＬであり、５は第２の切り替えスイッチであり、６は第２のＰＬＬであり、７は第２の電圧制御発振器であり、８は映像用ＡＤ変換器であり、９は音声用ＡＤ変換器であり、１０は音声用クロック切り替えスイッチであり、１１はデジタルＴＶ用信号処理器であり、１２は記録処理器であり、１３はサンプリング変換器であり、１４は第２のローパスフィルタであり、１５は音声信号切り替えスイッチであり、２０はＨＤＭＩもしくは映像音声出力回路であり、１１０は映像・音声のベースバンドデジタル信号入力インターフェースであり、１１１は映像表示部であり、１１２は映像・音声ストリームデコーダであり、１１３は音声出力部であり、１１４は音声用ＰＬＬであり、１２１は映像音声ストリームエンコーダであり、１２２は映像表示部であり、１２３は音声出力部であり、１２４は音声用ＰＬＬであり、１２５は映像音声ストリームデコーダであり、１２６は記録再生処理器であり、２００はデジタルＴＶ用信号処理器と記録処理器とを通信する通信手段であり、１１１１は入力バッファであり、１１１２は入力バッファであり、１１１３は切り替えスイッチであり、１１３１は入力バッファであり、１１３２は入力バッファであり、１１３３は切り替えスイッチである。
【００１９】
話を簡単にするために、アナログ放送を視聴する場合とＤＶＤビデオの再生画像を視聴する場合およびデジタル放送をＤＶＤに記録しながら、同時にＤＶＤに記録されたコンテンツを再生して視聴する場合およびデジタル放送視聴中のアナログ放送記録の４通りについて、信号の流れおよび基準クロックの生成の説明を行う。
【００２０】
まず始めにアナログ放送を視聴する場合について、述べる。
【００２１】
アナログ放送を受信すると、映像信号は映像用ＡＤＣ８に入力されデジタルベースバンド信号となって、映像音声ストリームエンコーダ１２１に出力される。映像音声ストリームエンコーダ１２１では、デジタルベースバンド映像信号を例えばＭＰＥＧ２のストリームやＤＶＤフォーマットに変換すると共に第２のＰＬＬ６からの基準クロックとの位相誤差を検出し、位相誤差信号を第２のローパスフィルタ１４に出力する。第２のローパスフィルタ１４では、入力された位相誤差信号を平滑化して、制御電圧を第２の電圧制御発振器７に出力する。第２の電圧制御発振器７では、入力された制御電圧に応じた基準クロックを生成し、第１の切り替えスイッチ３および第２の切り替えスイッチ５に出力する。第２の切り替えスイッチ５では、第１の電圧制御発振器１から出力された基準クロックと第２の電圧制御発振器７から出力された基準クロックの内、第２の電圧制御発振器７から出力された基準クロックを選択して、第２のＰＬＬ６に出力する。第２のＰＬＬ６では、第２の切り替えスイッチ５における切り替え動作の過渡期に発生する位相の不安定成分を吸収して、記録処理器１２に基準クロックを供給する。
【００２２】
一方、映像・音声ストリームエンコーダ１２１に入力されたデジタルベースバンド信号は、映像表示部１２２にも送信される。映像表示部１２２では、受信したデジタルベースバンド信号をデジタルＴＶ処理器１１の機能の一部である映像・音声ベースバンドデジタル信号入力インターフェース１１０に送信する。さらに、音声信号に関して、その流れを説明する。入力されたアナログ音声信号は、音声用ＡＤＣ９でデジタル信号に変換され、スイッチ１５および記録処理器１２の機能である映像・音声ストリームエンコーダ１２１に送信される。スイッチ１５は、音声用ＡＤＣ９からの信号と記録処理器１２の機能の一部である音声出力部１２３からの信号とを選択する機能を有する。アナログ放送を視聴す
る場合は、スイッチ１５は音声用ＡＤＣ９からの信号を選択し、デジタルＴＶ用信号処理器１１の機能の一部である映像・音声ベースバンドデジタル信号入力インターフェース１１０に送信する。
【００２３】
ここで、デジタルＴＶ処理器１１に入力されるクロックに関して、説明する。デジタルＴＶ処理器１１には、記録処理器１２からの映像信号を受信し、映像表示部１１１，ＨＤＭＩ／映像音声出力回路２０を通して、出力されるので、デジタルＴＶ処理器１１の基準クロックは、記録処理器１２と同一の基準クロックであることが必要になる。したがって、第１の切り替えスイッチ３は、第２の電圧制御発振器７からのクロックを選択し、第１のＰＬＬ４に出力する。第１のＰＬＬ４は、第１の切り替えスイッチ３の切り替え過渡期に発生する位相の不安定成分を吸収して、デジタルＴＶ処理器１１に基準クロックを供給する。このようにして、デジタルＴＶ処理器１１の基準クロックは、記録処理器１２の基準クロックと同一のものになる。デジタルＴＶ処理器１１に供給された基準クロックは、映像・音声ベースバンドデジタル信号入力インターフェース１１０，映像表示部１１１，ＨＤＭＩ／映像音声出力回路２０，音声ＰＬＬ１１４，映像・音声ストリームデコーダ１１２にそれぞれ配られる。このようにして、デジタルＴＶ処理器１１の内部は、記録処理器１２の基準クロックに同期しているので、乱れの無い映像信号を出力することができる。また、音声用ＡＤＣ９のクロックを選択するスイッチ１０は、デジタルＴＶ処理器１１内の音声用ＰＬＬ１１４が発生するクロックと記録処理器１２内の音声用ＰＬＬ１２４が発生するクロックとを選択することになるが、この場合、どちらを選んでも良いので、例えば、デジタルＴＶ処理器１１内の音声用ＰＬＬ１１４が発生するクロックを選択するとする。
【００２４】
なお、記録処理器１２内の映像・音声ストリームエンコーダ１２１からの出力であるエンコードストリームは、記録再生処理器１２６に送信される。記録再生処理器１２６で記録に最適な処理を施して、記録媒体に記録することができる。
【００２５】
次に、ＤＶＤビデオの再生画像を視聴する場合について、説明する。
【００２６】
記録媒体に記録されているコンテンツは、記録処理器１２内にある記録再生処理器１２６において、適切な再生処理が施され、映像・音声ストリームデコーダ１２５に送信される。映像・音声ストリームデコーダ１２５では、入力されたストリームに対して、デコード処理を施し、ベースバンド映像信号を映像表示部１２２に、ベースバンド音声信号を音声出力部１２３にそれぞれ送出する。映像表示部１２２は、ベースバンド映像信号を映像・音声ベースバンドデジタル信号入力インターフェース１１０に送出する。また、切り替えスイッチ１５は、音声出力部１２３の信号を選択して、映像・音声ベースバンドデジタル信号入力インターフェース１１０に送出する。
【００２７】
ここで、デジタルＴＶ処理器１１の基準クロックに関して、説明する。
【００２８】
デジタルＴＶ処理器１１は、映像・音声共に記録処理１２からの信号を入力して、出力することになる。従って、デジタルＴＶ処理器１１の基準クロックは、記録処理１２の基準クロックと同一であることが必要になる。すなわち、第１の切り替えスイッチ３および第２の切り替えスイッチ５は、第１の電圧制御発振器１もしくは第２の電圧制御発振器７のどちらを選択しても良いが、同一のものを選択する必要がある。ここでは、一例として、第１の切り替えスイッチ３および第２の切り替えスイッチ５は、共に、第１の電圧制御発振器１からのクロックを選択するとする。これにより、デジタルＴＶ処理器１１の基準クロックと、記録処理１２の基準クロックは、同一となるため、デジタルＴＶ処理器１１から出力される映像・音声に乱れが生じない。
【００２９】
次に、デジタル放送をＤＶＤに記録しながら、同時にＤＶＤに記録されたコンテンツを再生して視聴する場合について、説明する。
【００３０】
デジタル放送をＤＶＤに記録するためには、デジタル放送をデコードし、ベースバンド信号をＤＶＤフォーマットに変換して記録すると共に、ＤＶＤに記録されたコンテンツを再生し、デコードして、出力する必要がある。
【００３１】
デジタル放送を受信すると、そのコンテンツは、デジタルＴＶ処理器１１の一部の機能である映像・音声ストリームデコーダ１１２に入力される。映像・音声ストリームデコーダ１１２では、デジタル放送特有のフォーマットをデコードし、ベースバンド映像信号を映像表示部１１１に出力し、ベースバンド音声信号を音声出力部１１３に出力すると共に、コンテンツからのプログラムクロックレファレンス（ＰＣＲ）と基準クロックを比較して、位相誤差信号を生成して、第１のローパスフィルタ２に出力する。乱れの無い映像・音声を記録処理器１２に出力するためには、デジタルＴＶ処理器１１は、入力されるコンテンツのＰＣＲに同期した基準クロックで動作する必要がある。従って、第１の切り替えスイッチ３は、第１の電圧制御発振器１からクロックを選択する。
【００３２】
デジタルＴＶ処理器１１から出力されたベースバンドの映像信号は、記録処理器１２の映像・音声ストリームエンコーダ１２１に入力される。映像・音声ストリームエンコーダ１２１では、映像信号をＤＶＤの記録フォーマットに変換すると共に入力された映像信号の垂直同期の周期と基準クロックとの位相誤差を出力する。出力された位相誤差信号は、第２のローパスフィルタ１４に入力され、平滑化されて、第２の電圧制御発振器７に入力される。第２のスイッチ５は、第２の電圧制御発振器７の出力を選択し、第２のＰＬＬ６を通って、記録機器１２の基準クロックを生成する。これにより、記録機器１２の基準クロックは、デジタルＴＶ用処理器１１の基準クロックと同一のクロックとなる。この場合、切り替えスイッチ１０は、記録処理器１２内の音声用ＰＬＬ１２４のクロックを選択する。また、第２のスイッチ５で、第１の電圧制御発振器１のクロックを選択することでも、記録機器１２の基準クロックをデジタルＴＶ用処理器１１の基準クロックと同一のクロックとすることができる。この場合、切り替えスイッチ１０は、デジタルＴＶ処理器１１内の音声用ＰＬＬ１１４のクロックを選択する。
【００３３】
また、デジタルＴＶ処理器１１から出力されたベースバンドの音声信号は、サンプリング変換器１３を通って、記録処理器１２の映像・音声ストリームエンコーダ１２１に入力される。サンプリング変換器１３では、音声のサンプリング周波数を変換する。映像・音声ストリームエンコーダ１２１に入力された音声信号は、ＤＶＤのフォーマットに変換される。映像・音声ストリームエンコーダ１２１では、ＤＶＤフォーマットのストリームを生成して、記録再生処理器１２６に出力する。記録再生処理器１２６では、記録に適した処理を施し、記録媒体に記録する。
【００３４】
同時に、ＤＶＤに記録されたコンテンツを再生し、ストリームを記録再生処理器１２６に出力する。ＤＶＤから再生されたストリームは、録再生処理器１２６を経て、映像・音声ストリームデコーダ１２５に入力される。これ以降の再生ストリームの流れは、前述したＤＶＤビデオの再生視聴と同一であるので、ここでは、割愛する。
【００３５】
上述したようにデジタルＴＶ処理器１１と記録処理器１２の基準クロックが一致しているために、デジタル放送を乱れの無い映像・音声信号として記録することができると共に、ＤＶＤ再生信号を乱れなく再生視聴することができる。
【００３６】
最後に、デジタル放送を視聴しながら、アナログ放送を記録する場合について、説明する。
【００３７】
デジタル放送を受信すると、そのコンテンツは、デジタルＴＶ処理器１１の一部の機能である映像・音声ストリームデコーダ１１２に入力される。映像・音声ストリームデコーダ１１２では、デジタル放送特有のフォーマットをデコードし、ベースバンド映像信号を映像表示部１１１に出力し、ベースバンド音声信号を音声出力部１１３に出力すると共に、コンテンツからのプログラムクロックレファレンス（ＰＣＲ）と基準クロックを比較して、位相誤差信号を生成して、第１のローパスフィルタ２に出力する。乱れの無い映像・音声を出力するためには、デジタルＴＶ処理器１１は、入力されるコンテンツのＰＣＲに同期した基準クロックで動作する必要がある。従って、第１の切り替えスイッチ３は、第１の電圧制御発振器１からクロックを選択する。  
【００３８】
一方、アナログ放送を乱れの無い信号として記録するためには、入力されたアナログ放送の垂直同期信号の周期と記録処理器１２の基準クロックが同期しなくてはならない。そのために、第２の切り替えスイッチ５は、第２の電圧制御発振器７の信号を選択する。そして、映像・音声ストリームエンコーダからの位相誤差信号と第２のローパスフィルタ１４と第２の電圧制御発振器５と第２の切り替えスイッチ５と第２のＰＬＬ６の系で、入力されたアナログ放送の垂直同期信号の周期に同期した基準クロックを生成し、記録処理器１２に供給することができる。なお、切り替えスイッチ１０は、記録処理器１２の音声用ＰＬＬ１２４から出力されるクロックを選択していることは、言うまでもない。
【００３９】
なお、上記では、ＤＶＤと記述したものがあるが、このＤＶＤをハードディスク（ＨＤＤ）もしくは、セキュアデジタルカード（ＳＤ）などとしても、良い。この場合、それぞれの記録フォーマットで記録されることは、言うまでもない。
【００４０】
また、今回は、話を簡単にするために、４通りの場合について、具体的に信号処理を説明した。本発明の特徴は、第１の切り替え  スイッチ３および第２の切り替えスイッチ５を適切に操作して、乱れの無い映像・音声信号を出力することにある。従って、上記４通り以外の場合について、第１の切り替えスイッチ３および第２の切り替えスイッチ５の動作を述べる。
【００４１】
まず、第１の切り替えスイッチ３の動作を述べる。
【００４２】
デジタル放送を視聴時は、第１の電圧制御発振器１の出力を選択する。記録媒体からの再生信号を視聴する場合は、２通りある。アナログ放送を同時に記録していない場合は、第１の電圧制御発振器１および第２の電圧制御発振器７のどちらでも良い。アナログ放送を同時に記録している場合は、第２の電圧制御発振器７の出力を選択する。
【００４３】
次に、第２の切り替えスイッチ５の動作を述べる。
【００４４】
デジタル放送からの信号を記録する場合には、第１の電圧制御発振器１および第２の電圧制御発振器７のどちらでも良い。アナログ放送を記録する場合には、第２の電圧制御発振器７を選択する。記録媒体からの再生のみの場合は、第１の電圧制御発振器１および第２の電圧制御発振器７のどちらでも良い。
【００４５】
同時処理が発生している場合は、上記に従い、どちらの電圧制御発振器の出力を選択できる場合は、制約のあるものを優先とすることは、言うまでもない。
【００４６】
なお、デジタルＴＶ用処理器１１からの映像信号の垂直同期信号と基準クロックとの位相誤差信号を生成し、第２のローパスフィルタ１４に出力する機能を映像・音声ストリームエンコーダ１２１が保持していれば、第２の切り替えスイッチ５および第２のＰＬＬ６
は、不要であることは、言うまでもない。
【００４７】
また、デジタルＴＶ用処理器１１と記録処理器１２とのそれぞれの中央演算装置間を通信する通信手段２００を備えることにより、アプリケーション毎に切り替える必要が発生する第１の切り替えスイッチ３および第２の切り替えスイッチ５の切り替え動作を容易に連動させることができる。
【００４８】
（実施の形態２）
図２を用いて、本発明の実施の形態２の説明を行う。
【００４９】
図２は、デジタル放送およびアナログ放送を記録再生する機器の信号処理ブロック図である。図２において、図１すなわち、実施の形態１と異なる点は、デジタルＴＶ処理器１１および記録処理器１２の基準クロックを生成する系にある。具体的には、切り替えスイッチ１６が付加され、電圧制御発振器が１つになり、切り替えの過渡期の不安定成分を除去するためのＰＬＬが削除されていることである。映像および音声の信号の流れは、実施の形態１と同一であるので、ここでは、割愛する。
【００５０】
切り替えスイッチ１６の動作について、説明する。
【００５１】
アナログ放送を記録媒体に記録する場合は、映像・音声ストリームエンコーダ１２１からの誤差信号すなわち、ローパスフィルタ１４の出力を選択する。すなわち、入力されたアナログ放送の垂直同期信号の周期に同期した基準クロックでデジタルＴＶ処理器１１および記録処理器１２を動かす。
【００５２】
デジタル放送をベースバンド信号に復号して、映像・音声ストリームエンコーダ１２１を経由して、記録媒体に記録する場合は、映像・音声ストリームデコーダ１１２からの誤差信号すなわち、ローパスフィルタ２の出力を選択する。すなわち、入力されたデジタル放送のＰＣＲに同期した基準クロックでデジタルＴＶ処理器１１および記録処理器１２を動かす。
【００５３】
（実施の形態３）
図３を用いて、本発明の実施の形態３の説明を行う。
【００５４】
図３は、デジタル放送およびアナログ放送を記録再生する機器の信号処理ブロック図である。図３において、図１すなわち、実施の形態１と異なる点は、デジタルＴＶ処理器１１および記録処理器１２の基準クロックを生成する系にある。また、図２、すなわち、実施の形態２と異なる点は、切り替えスイッチ１６の位置にある。
【００５５】
従って、映像および音声信号の流れは、実施の形態１と同一であるので、ここでは、割愛する。また、切り替えスイッチ１６の動作は、実施の形態２と同一であるので、ここでは、割愛する。
【００５６】
図３のように、切り替えスイッチ１６をローパスフィルタの前、すなわち、誤差信号を選択することにより、ローパスフィルタを削減することができるという新たな効果を得ることができる。ただし、デジタル放送時とアナログ放送時でローパスフィルタを最適にすることができないという点には、注意を要する。すなわち、実施の形態３は、実施の形態２と比べて、コストパフォーマンスが良くなるが、性能は、やや劣る。
【００５７】
（実施の形態４）
図４を用いて、本発明の実施の形態４の説明を行う。
【００５８】
図４は、デジタル放送およびアナログ放送を記録再生する機器の信号処理ブロック図である。図４において、図１すなわち、実施の形態１と異なる点は、デジタルＴＶ処理器１１および記録処理器１２の基準クロックを生成する系および記録処理器１２から、デジタルＴＶ処理器１１に入力されるデジタル信号の系にある。また、これは、図２、図３、すなわち、実施の形態２、実施の形態３とも異なる点である。この異なる点を具体的に示す。
【００５９】
まず、音声系を説明する。記録処理器１２から、デジタルＴＶ処理器１１に入力される音声系にサンプリング変換器１８を挿入する。サンプリング変換器１８により、記録処理器１２の基準クロックからデジタルＴＶ処理器１１の基準クロックに乗せかえることができる。
【００６０】
次に、映像系を説明する。記録処理器１２から、デジタルＴＶ処理器１１に入力される音声系にレート変換および位相誤差検出回路１９を挿入する。レート変換および位相誤差検出回路１９は、ローパスフィルタ２および電圧制御発振器１とで、位相同期回路Ａを構成する。このとき、切り替えスイッチ３１は、レート変換および位相誤差検出回路１９からの出力を選択している。前記位相同期回路Ａは、記録処理器１２から、デジタルＴＶ処理器１１に入力される映像信号の垂直同期信号の周期に同期したクロックを生成する。この前記クロックはデジタルＴＶ処理器１１の基準クロックとなる。
【００６１】
本実施の形態の最大の特徴となる切り替えスイッチ３１の動作を説明する。切り替えスイッチ３１は、デジタル放送を視聴する場合には、映像・音声ストリームデコーダ１１２からの位相誤差信号を選択し、記録処理回路１２からの信号を視聴する場合は、レート変換および位相誤差検出回路１９からの位相誤差信号を選択する。これにより、視聴されるコンテンツは、映像・音声ともに乱れのないものになる。例えば、アナログ放送を視聴する場合には、切り替えスイッチ３１は、レート変換および位相誤差検出回路１９からの位相誤差信号を選択する。ただし、デジタル放送をＤＶＤに記録しながら、同時にＤＶＤに記録されたコンテンツを再生して視聴する場合は、記録処理回路１２に入力されるコンテンツは、デジタル放送となるので、切り替えスイッチ３１は、デジタル放送を視聴する場合には、映像・音声ストリームデコーダ１１２からの位相誤差信号を選択する。尤も、ローパスフィルタ１４と電圧制御発振器７と映像・音声ストリームエンコーダ１２１で、入力された映像信号の垂直同期信号の周期に同期した基準信号を生成するために、記録処理器１２の基準クロックは、デジタルＴＶ処理器１１の基準クロックと同期している。
【００６２】
（実施の形態５）
図５を用いて、本発明の実施の形態５の説明を行う。
【００６３】
図５は、デジタル放送およびアナログ放送を記録再生する機器の信号処理ブロック図である。図５において、図１すなわち、実施の形態１と異なる点は、デジタルＴＶ処理器１１および記録処理器１２の基準クロックを生成する系にある。すなわち、切り替えスイッチ３および５の挿入場所が異なる。従って、基準クロックおよび映像・音声の信号の流れは、実施の形態１と同一のものになる。実施の形態１と比較して、利点は、第１のＰＬＬ４および第２のＰＬＬ６を削減することができる。ただし、第１の切り替えスイッチ３が第２のローパスフィルタ１４の出力を選択し、同時に第２の切り替えスイッチ５が第１のローパスフィルタ２の出力を選択することができないことは、注意を要する。なぜならば、フィードバックループを形成することができないためである。
【００６４】
（実施の形態６）
図６を用いて、本発明の実施の形態６の説明を行う。
【００６５】
図６は、デジタル放送およびアナログ放送を記録再生する機器の信号処理ブロック図である。図６において、図１すなわち、実施の形態１と異なる点は、デジタルＴＶ処理器１１および記録処理器１２の基準クロックを生成する系にある。すなわち、切り替えスイッチ３および５の挿入場所が異なる。従って、基準クロックおよび映像・音声の信号の流れは、実施の形態１と同一のものになる。実施の形態１と比較して、利点は、第１のＰＬＬ４および第２のＰＬＬ６を削減することができる。さらに図５、すなわち、実施の形態５と比較して、異なる点は、切り替えスイッチが平滑化を行うローパスフィルタの前段になるため、スイッチの切り替え動作による過渡変動をローパスフィルタが吸収することができるという利点を有する。
【産業上の利用可能性】
【００６６】
本発明にかかるデジタル放送およびアナログ放送を記録するシステムは、記録再生および視聴時に最適な基準クロックを生成する系を有し、さまざまなアプリケーションで乱れの無い映像・音声を視聴することのできる安価な記録機器を提供できるため、デジタル放送とアナログ放送を記録する機器等として有用である。
【図面の簡単な説明】
【００６７】
【図１】本発明の実施の形態１における信号処理ブロック図
【図２】本発明の実施の形態２における信号処理ブロック図
【図３】本発明の実施の形態３における信号処理ブロック図
【図４】本発明の実施の形態４における信号処理ブロック図
【図５】本発明の実施の形態５における信号処理ブロック図
【図６】本発明の実施の形態６における信号処理ブロック図
【符号の説明】
【００６８】
１  第１の電圧制御発振器
２  第１のローパスフィルタ
３  第１の切り替えスイッチ
４  第１のＰＬＬ
５  第２の切り替えスイッチ
６  第２のＰＬＬ
７  第２の電圧制御発振器
８  映像用ＡＤ変換器
９  音声用ＡＤ変換器
１０  音声用クロック切り替えスイッチ
１１  デジタルＴＶ用信号処理器
１２  記録処理器
１３  サンプリング変換器
１４  第２のローパスフィルタ
１５  音声信号切り替えスイッチ
１８  サンプリング変換器
１９  レート変換および位相誤差検出回路
２０  ＨＤＭＩもしくは映像音声出力回路
１１０  映像・音声のベースバンドデジタル信号入力インターフェース
１１１  映像表示部
１１２  映像・音声ストリームデコーダ
１１３  音声出力部
１１４  音声用ＰＬＬ
１２１  映像音声ストリームエンコーダ
１２２  映像表示部
１２３  音声出力部
１２４  音声用ＰＬＬ
１２５  映像音声ストリームデコーダ
１２６  記録再生処理器
２００  デジタルＴＶ用信号処理器と記録処理器とを通信する通信手段
１１１１  入力バッファ
１１１２  入力バッファ
１１１３  切り替えスイッチ
１１３１  入力バッファ
１１３２  入力バッファ
１１３３  切り替えスイッチ
【図１】
2008060645.tif 000003
【図２】
2008060645.tif 000004
【図３】
2008060645.tif 000005
【図４】
2008060645.tif 000006
【図５】
2008060645.tif 000007
【図６】
2008060645.tif 000008